(57)【要約】【課題】録画再生装置において、装置本体と接続されている記録媒体に録画されているコンテンツデータの再生を制限して、ユーザのプライバシーを保護できるようにする。【解決手段】ハードディスクレコーダ（録画再生装置）は、装置本体と取り外し可能なＨＤＤ（記録媒体）と、コンテンツデータを録画する書き込み部と、コンテンツデータを再生する読み取り部と、ＨＤＤのシリアル番号を記憶するメモリと、制御用マイコンとを備える。制御用マイコンは、接続中のＨＤＤからシリアル番号を取得し（＃１）、メモリに記憶されているシリアル番号の中に、取得したシリアル番号と同一のシリアル番号があるか否かを判断する（＃２）。同一のシリアル番号がある場合（＃３でＹＥＳ）、ユーザ認証を行うためのパスワード認証画面を表示し（＃４）、ユーザ認証が成功したとき（＃５でＹＥＳ）、コンテンツデータの録画と再生を許可する（＃６）。【選択図】図３
2009181651.tif 000002
【特許請求の範囲】
【請求項１】
テレビジョン番組等のコンテンツデータが記録され、装置本体と取り外し可能に接続される記録媒体と、
前記記録媒体にコンテンツデータを録画する録画手段と、
前記録画手段によって録画されたコンテンツデータを再生する再生手段と、
装置各部を制御する制御手段とを備えた録画再生装置において、
前記記録媒体のシリアル番号を記憶する記憶手段をさらに備え、
前記制御手段は、
前記記憶手段に記憶されているシリアル番号の中に、装置本体と接続されている記録媒体と同一のシリアル番号があるか否かを判断し、
同一のシリアル番号がある場合に、前記再生手段による当該記録媒体に録画されているコンテンツデータの再生を許可することを特徴とする録画再生装置。
【請求項２】
前記制御手段は、
前記記憶手段に記憶されているシリアル番号の中に、装置本体と接続されている記録媒体と同一のシリアル番号がない場合に、当該記録媒体を初期化すると共に、前記記憶手段に当該記録媒体のシリアル番号を書き込むことを特徴とする請求項１に記載の録画再生装置。
【請求項３】
前記制御手段は、
装置本体と接続されている記録媒体を初期化する際に、当該記録媒体に対してコンテンツデータの録画と再生を制限するためのパスワードを設定することをユーザに要求し、
前記記憶手段に記憶されているシリアル番号の中に、装置本体と接続されている記録媒体と同一のシリアル番号がある場合に、当該パスワードによるユーザ認証を行い、この認証が成功したとき、前記再生手段による当該記録媒体に録画されているコンテンツデータの再生と、前記録画手段による当該記録媒体へのコンテンツデータの録画を許可することを特徴とする請求項２に記載の録画再生装置。
【請求項４】
前記制御手段は、
前記記憶手段にシリアル番号を書き込む際に、前記記憶手段に記憶されるシリアル番号の数が予め設定された制限値を超えるか否かを判断し、
制限値を超える場合に、前記記録媒体を増設するための処理を実行するか否かをユーザに選択させ、選択された結果に応じて当該処理を実行するか否かを決定することを特徴とする請求項２又は請求項３に記載の録画再生装置。
【発明の詳細な説明】
【技術分野】
【０００１】
本発明は、装置本体と取り外し可能に接続される記録媒体、具体的にはリムーバブル型のＨＤＤ（Hard Disk Drive）を備えた録画再生装置に関する。
【背景技術】
【０００２】
近年、テレビジョン番組等のコンテンツデータを記録する記録媒体として、装置本体と取り外し可能に接続されるリムーバブル型のＨＤＤを備えた録画再生装置が普及している。このような録画再生装置では、装置本体と接続されているＨＤＤを取り外して別のものに交換したリ、新たにＨＤＤを増設することが可能となっている。
【０００３】
ところで、従来から上述のような録画再生装置では、装置に接続されている記録媒体に録画されているコンテンツデータの再生が制限なく行われる。そのため、あるユーザにより所望のコンテンツデータが記録されたＨＤＤが、他のユーザに持ち出されると、ＨＤＤに記録されたコンテンツデータが他のユーザに視聴され、ユーザのプライバシーが侵害されることがある。
【０００４】
なお、特許文献１には、取り外し可能な記録媒体に対する認証システムとして、パーソナルコンピュータ（PC）でＨＤＤに対してその固有データに基づき認証を与え、オーディオシステムでこの認証を解除することを可能にしたシステムが開示されている。しかしながら、このシステムは、取り外し可能な記録媒体を複数のＰＣで使用するためになされたものであり、上述した録画再生装置において、ユーザのプライバシーが侵害されることを解消するものではない。また、各種のシリアル番号又はデバイスキーを不揮発性メモリに格納した機器を開示する特許文献としては、特許文献２乃至５がある。
【特許文献１】特開２００５−２３５３０３号公報
【特許文献２】特開平０４−１６８５５４号公報
【特許文献３】特許第２５９３８４４号公報
【特許文献４】特開２０００−１４１８３０号公報
【特許文献５】特開２００４−３５５６８８号公報
【発明の開示】
【発明が解決しようとする課題】
【０００５】
本発明は、上記問題を解決するためになされたものであり、装置本体と接続されている記録媒体に録画されているコンテンツデータの再生を制限して、ユーザのプライバシーを保護することが可能な録画再生装置を提供することを目的とする。
【課題を解決するための手段】
【０００６】
上記目的を達成するために請求項１の発明は、テレビジョン番組等のコンテンツデータが記録され、装置本体と取り外し可能に接続される記録媒体と、前記記録媒体にコンテンツデータを録画する録画手段と、前記録画手段によって録画されたコンテンツデータを再生する再生手段と、装置各部を制御する制御手段とを備えた録画再生装置において、前記記録媒体のシリアル番号を記憶する記憶手段をさらに備え、前記制御手段は、前記記憶手段に記憶されているシリアル番号の中に、装置本体と接続されている記録媒体と同一のシリアル番号があるか否かを判断し、同一のシリアル番号がある場合に、前記再生手段による当該記録媒体に録画されているコンテンツデータの再生を許可するものである。
【０００７】
請求項２の発明は、請求項１に記載の発明において、前記制御手段は、前記記憶手段に記憶されているシリアル番号の中に、装置本体と接続されている記録媒体と同一のシリアル番号がない場合に、当該記録媒体を初期化すると共に、前記記憶手段に当該記録媒体のシリアル番号を書き込むものである。
【０００８】
請求項３の発明は、請求項２に記載の発明において、前記制御手段は、装置本体と接続されている記録媒体を初期化する際に、当該記録媒体に対してコンテンツデータの録画と再生を制限するためのパスワードを設定することをユーザに要求し、前記記憶手段に記憶されているシリアル番号の中に、装置本体と接続されている記録媒体と同一のシリアル番号がある場合に、当該パスワードによるユーザ認証を行い、この認証が成功したとき、前記再生手段による当該記録媒体に録画されているコンテンツデータの再生と、前記録画手段による当該記録媒体へのコンテンツデータの録画を許可するものである。
【０００９】
請求項４の発明は、請求項２又は請求項３に記載の発明において、前記制御手段は、前記記憶手段にシリアル番号を書き込む際に、前記記憶手段に記憶されるシリアル番号の数が予め設定された制限値を超えるか否かを判断し、制限値を超える場合に、前記記録媒体を増設するための処理を実行するか否かをユーザに選択させ、選択された結果に応じて当該処理を実行するか否かを決定するものである。
【発明の効果】
【００１０】
請求項１の発明によれば、記憶手段に記憶されているシリアル番号の中に、装置本体と接続されている記録媒体と同一のシリアル番号がある場合に、再生手段による当該記録媒体に録画されているコンテンツデータの再生が許可される。そのため、この記録媒体が他のユーザに持ち出された場合であっても、記録媒体に録画されているコンテンツデータの内容が他のユーザに視聴されることを防止でき、ユーザのプライバシーを保護することができる。
【００１１】
請求項２の発明によれば、記憶されているシリアル番号の中に、装置本体と接続されている記録媒体と同一のシリアル番号がない場合に、記録媒体が初期化されるので、記録媒体に録画されているコンテンツデータが全て消去され、コンテンツデータの内容が他のユーザに視聴されることを一層確実に防止できる。
【００１２】
請求項３の発明によれば、記憶されているシリアル番号の中に、装置本体と接続されている記録媒体と同一のシリアル番号がある場合に、パスワードによるユーザ認証を行い、この認証が成功したとき、再生手段による記録媒体に録画されているコンテンツデータの再生が許可される。そのため、他のユーザが本装置を使用する場合であっても、コンテンツデータの内容が他のユーザに視聴されることがない。さらに、この認証が成功したときに、録画手段による記録媒体へのコンテンツデータの録画が許可されるので、他のユーザが本装置を使用する場合に、記録媒体に録画されているコンテンツデータが他のユーザによって上書きされて消去されることがない。
【００１３】
請求項４の発明によれば、記録媒体を増設するための処理を実行する際に、ユーザに対して氏名や住所等の個人情報の入力を要求し、さらに本装置と双方向通信が可能な管理用コンピュータから、入力した情報と増設する記録媒体のシリアル番号を抽出して管理用コンピュータに送信するように指示することで、持ち出された記録媒体の所在を検索することが可能となる。
【発明を実施するための最良の形態】
【００１４】
本発明の一実施形態に係るハードディスクレコーダ（請求項における録画再生装置、以下、レコーダという）について図面を参照して説明する。図１は、テレビジョン番組（以下、ＴＶ番組という）を録画可能なレコーダ１と、このレコーダ１と接続されるテレビ２で構成されるテレビジョンシステムの外観を示す。ここで、レコーダ１とテレビ２は、伝送ケーブル３を介して接続されている。
【００１５】
テレビ２は、映像を表示するディスプレイ２１と、音声を出力するスピーカ２２とを備えており、伝送ケーブル３を介してレコーダ１から送出される信号に基づき、レコーダ１が録画したＴＶ番組の映像や各種メッセージをディスプレイ２１に、そのＴＶ番組の音声をスピーカ２２に出力する。
【００１６】
図２は、レコーダ１の内部構成を示す。レコーダ１は、ＴＶ番組を受信するためのチューナ１１と、チューナ１１によって受信されたＴＶ番組等のコンテンツデータが記録されるＨＤＤ（Hard Disk Drive、請求項における記録媒体）１２と、ＨＤＤ１２をレコーダ１本体と接続するためのインターフェイス１３と、ユーザにより操作される操作部１４と、伝送ケーブル３が接続され、テレビ２に対してＴＶ番組放送信号や各種制御信号を入出力するための入出力部１５とを備える。
【００１７】
また、レコーダ１は、ＨＤＤ１２にコンテンツデータを書き込むための書き込み部（録画手段）１６と、ＨＤＤ１２に録画されているコンテンツデータを読み取るための読み取り部（再生手段）１７と、レコーダ１各部を制御する制御用マイコン（制御手段）１８と、制御用マイコン１８の動作プログラムや各種データを格納するメモリ（記憶手段）１９とを備える。
【００１８】
ＨＤＤ１２は、レコーダ１本体と取り外し可能なリムーバブル型のＨＤＤであり、本レコーダ１と同機種のレコーダにのみ接続されるように、専用のコネクタ（図示しない）によりインターフェイス１３と接続されている。ＨＤＤ１２には、製品毎に異なる固有番号であるシリアル番号が割り当てられており、このシリアル番号は、ＨＤＤ１２の記憶領域内に格納されている。インターフェイス１３は、上記コネクタを接続するためのポート（図示しない）を複数備えており、新たにＨＤＤ１２を増設することが可能になっている。
【００１９】
操作部１４は、レコーダ１の電源を投入するための電源ボタンや、レコーダ１本体と接続されている（接続中の）ＨＤＤ１２に関する各種設定を行うためのテンキーや方向キー等を有する。メモリ１９は、その記憶領域内のユーザ領域に、本体に接続されたＨＤＤ１２のシリアル番号を記憶する。ここで、メモリ１９が記憶可能なシリアル番号の個数は、レコーダ１の製造時にメーカによって設定される制限値により決定され、この制限値によってレコーダ１本体が使用可能とするＨＤＤ１２の数が制限される。また、メモリ１９は、後述するコンテンツデータの録画と再生を制限するためのパスワードを記憶する。
【００２０】
制御用マイコン１８は、メモリ１９に記憶されているシリアル番号の中に、接続中のＨＤＤ１２と同一のシリアル番号があるか否かを判断する。制御用マイコン１８は、上記判断の結果に基づき、書き込み部１６を用いた接続中のＨＤＤ１２へのコンテンツデータの録画と、読み取り部１７を用いた接続中のＨＤＤ１２に録画されているコンテンツデータの再生（以下、コンテンツデータの録画と再生という）を制御する。さらに、制御用マイコン１８は、コンテンツデータの録画と再生を制限するためのパスワードを設定することをユーザに要求し、このパスワードによるユーザ認証の結果に基づき、コンテンツデータの録画と再生を制御する。また、制御用マイコン１８は、接続中のＨＤＤ１２を初期化する処理、接続中のＨＤＤ１２のシリアル番号をメモリ１９に書き込む処理、ＨＤＤ１２を増設するための処理を行う機能を有する。
【００２１】
次に、上記のように構成されたレコーダ１における、接続中のＨＤＤ１２に対する制御用マイコン１８の制御処理について説明する。図３は、上記制御処理のフローチャートを示す。ここでは、ユーザが操作部１４を操作して電源を投入することにより、ＨＤＤ１２から制御用マイコン１８に対して、上記制御処理を実行するための起動コマンドが出力されたものとする。まず、制御用マイコン１８は、接続中のＨＤＤ１２からそのシリアル番号を取得し（＃１）、メモリ１９に記憶されているシリアル番号の中に、取得したシリアル番号と同一のシリアル番号があるか否かを判断する（＃２）。ここで、メモリ１９に記憶されているシリアル番号は、後述する＃１４の処理で書き込まれるものである。
【００２２】
上記判断の結果、取得したシリアル番号と同一のシリアル番号がある場合（＃３でＹＥＳ）について説明する。この場合、制御用マイコン１８は、ユーザ認証を行うためのパスワード認証画面をテレビ２のディスプレイ２１に表示させる（＃４）。ここで、パスワードの設定は、後述する＃１１の処理において行われる。ユーザが操作部１４を操作してパスワードの入力を行い、入力されたパスワードと設定されたパスワードが一致したとき、つまりユーザ認証が成功したとき（＃５でＹＥＳ）、制御用マイコン１８は、コンテンツデータの録画と再生を許可し（＃６）、本制御処理を終了する。なお、本制御処理が終了する際にはパスワード認証画面が閉じられ、以下において同様に各種画面は閉じられるものとする。一方、入力されたパスワードと設定されたパスワードが一致しないとき、つまりユーザ認証が成功しないとき（＃５でＮＯ）、コンテンツデータの録画と再生を許可することなく本制御処理を終了する。
【００２３】
次に、上記判断（＃２の処理）の結果、取得したシリアル番号と同一のシリアル番号がない場合（＃３でＮＯ）について説明する。この場合、制御用マイコン１８は、ＨＤＤ１２を初期化するか否かをユーザに選択させるためのＨＤＤ初期化画面をディスプレイ２１に表示させる（＃７）。ユーザが操作部１４を操作してＨＤＤ１２を初期化することを選択したとき（＃８でＹＥＳ）、制御用マイコン１８は、ＨＤＤ１２を初期化する（＃９）。一方、ユーザがＨＤＤ１２を初期化することを選択しないとき（＃８でＮＯ）、制御用マイコン１８は、本制御処理を終了する。
【００２４】
ＨＤＤ１２を初期化した（＃９の処理）後、制御用マイコン１８は、ユーザ認証に用いるパスワードを設定するためのパスワード設定画面をディスプレイ２１に表示させ（＃１０）、ユーザが操作部１４を操作して入力したパスワードをメモリ１９に登録することで、パスワードの設定を行う（＃１１）。
【００２５】
次に、制御用マイコン１８は、メモリ１９に記憶されるシリアル番号の数が予め設定された制限値を超えるか否かを判断する（＃１２）。上記判断（＃１２の処理）の結果、制限値を超えない場合（＃１３でＮＯ）、制御用マイコン１８は、メモリ１９にＨＤＤ１２のシリアル番号を書き込み（＃１４）、本制御処理を終了する。一方、制限値を超える場合（＃１３でＹＥＳ）、制御用マイコン１８は、ＨＤＤ１２を増設するためのアップデート処理を実行するか否かをユーザに選択させるためのアップデート処理画面をディスプレイ２１に表示させる（＃１５）。
【００２６】
このアップデート処理とは、制限値を更新するための処理であり、ＤＶＢ（Digital Video Broadcasting）規格においては、本規格共通のインターフェイス（ＣＩ）に、有償のカードを差し込む処理である。ユーザが操作部１４を操作してアップデート処理を実行することを選択したとき（＃１６でＹＥＳ）、制御用マイコン１８は、制限値を更新し（＃１７）、メモリ１９にＨＤＤ１２のシリアル番号を書き込み（＃１４）、本制御処理を終了する。一方、ユーザがアップデート処理を実行することを選択しないとき（＃１６でＮＯ）、制御用マイコン１８は、本制御処理を終了する。
【００２７】
以上、本実施形態に係るレコーダ１によれば、メモリ１９に記憶されているシリアル番号の中に、レコーダ１本体と接続されているＨＤＤ１２と同一のシリアル番号がある場合に、読み取り部１７による当該ＨＤＤ１２に録画されているコンテンツデータの再生が許可される。そのため、このＨＤＤ１２が他のユーザに持ち出された場合であっても、ＨＤＤ１２に録画されているコンテンツデータの内容が他のユーザに視聴されることを防止でき、ユーザのプライバシーを保護することができる。また、メモリ１９に記憶されているシリアル番号の中に、レコーダ１本体と接続されているＨＤＤ１２と同一のシリアル番号がない場合に、ＨＤＤ１２が初期化されるので、ＨＤＤ１２に録画されているコンテンツデータが全て消去され、コンテンツデータの内容が他のユーザに視聴されることを一層確実に防止できる。
【００２８】
また、メモリ１９に記憶されているシリアル番号の中に、レコーダ１本体と接続されているＨＤＤ１２と同一のシリアル番号がある場合に、パスワードによるユーザ認証を行い、この認証が成功したとき、読み取り部１７によるＨＤＤ１２に録画されているコンテンツデータの再生が許可される。そのため、他のユーザが本レコーダ１を使用する場合であっても、コンテンツデータの内容が他のユーザに視聴されることがない。さらに、この認証が成功したときに、書き込み部１６によるＨＤＤ１２へのコンテンツデータの録画が許可されるので、他のユーザが本レコーダ１を使用する場合に、ＨＤＤ１２に録画されているコンテンツデータが上書きされて消去されることがない。
【００２９】
また、アップデート処理を実行する際に、ユーザに対して氏名や住所等の個人情報の入力を要求し、さらに本レコーダ１と双方向通信が可能な管理用コンピュータから、入力した情報と増設するＨＤＤ１２のシリアル番号を抽出して管理用コンピュータに送信するように本レコーダ１に指示することで、持ち出されたＨＤＤ１２の所在を検索することが可能となる。
【００３０】
なお、本発明は、上記実施形態の構成に限られず、発明の趣旨を変更しない範囲で種々の変形が可能である。例えば、レコーダ本体に液晶ディスプレイからなる表示部を設けて、パスワード認証画面やＨＤＤ初期化画面等の設定画面をこの表示部に表示させるようにしてもよい。また、ペアレンタルロック機能により、特定のチャンネルやＴＶ番組の録画と再生を禁止する機能が設けられたものであってよい。また、ＨＤＤを本レコーダ専用のケースに収容すると共に、本レコーダにケースに収容されたＨＤＤを挿入するためのＨＤＤスロットを設けて、本レコーダと同機種のレコーダにのみ当該ＨＤＤが接続されるように構成したものであってもよい。
【図面の簡単な説明】
【００３１】
【図１】本発明の一実施形態に係るハードディスクレコーダとテレビを含むテレビジョンシステムの概念図。
【図２】上記ハードディスクレコーダを示すブロック図。
【図３】上記ハードディスクレコーダにおいて、ＨＤＤに対する制御用マイコンの制御処理を示すフローチャート。
【符号の説明】
【００３２】
１  ハードディスクレコーダ（録画再生装置）
１２  ＨＤＤ（記録媒体）
１６  書き込み部（録画手段）
１７  読み取り部（再生手段）
１８  制御用マイコン（制御手段）
１９  メモリ（記憶手段）
【図１】
2009181651.tif 000003
【図２】
2009181651.tif 000004
【図３】
2009181651.tif 000005